(57)【要約】  本発明は、移動無線システムでデータ（1）の転送中に誤り率を決定するために使用される方法及び試験装置（12）に関する。この移動無線システムは、少なくとも１つの転送チャネルを有し、複数のデータ部分フロー（2.1、2.2、2.6）が転送される。複数のデータ部分フロー（2.1、2.2、...、2.6）は、信号生成ユニット（8）により生成される。各データ部分フロー（2.1、2.2、...、2.6）毎に個々に転送フォーマットが決定される。データ部分フロー（2.1、2.2、...、2.6）は、グループを成す複数の転送ブロック（5.1、...、7.1）に送信される。試験される装置は、データ部分フロー（2.1、2.2、...、2.6）の転送ブロック（5.1、...、7.1）を取得し、これらを評価する。評価の精度に従って、肯定動作信号又は否定動作信号（ACK、NACK）が試験される装置により返信される。各データ部分フロー（2.1、2.2、...、2.6）の誤り率が、試験装置（12）により取得された動作信号（ACK、NACK）から試験装置（12）により決定される。
2008533938.tif 000002
【特許請求の範囲】
【請求項１】
複数のデータサブフロー（2.1、...、2.6）が送信される少なくとも１つの転送チャネルを有する移動無線システムで、データ転送（1）中に誤り率を決定する方法であって、
−信号生成ユニット（8）により前記複数のデータサブフロー（2.1、...、2.6）を生成するステップと、
−各データサブフロー（2.1、...、2.6）について個々に転送フォーマットを指定するステップと、
−それぞれの場合に、試験装置（12）により試験される装置（16）に複数の関連する転送ブロック（5.1、...、7.1）で前記データサブフロー（2.1、...、2.6）を送信するステップと、
−前記試験される装置（16）により転送ブロック（5.1、...、5.i、7.1、...）を受信して評価し、各転送ブロックについて肯定確認信号又は否定確認信号（ACK、NACK）を返信するステップと、
−前記試験装置（12）により前記受信した確認信号（ACK、NACK）から誤り率を決定するステップと
を有する方法。
【請求項２】
誤り率は、前記データサブフロー（2.1、...、2.6）に関連する転送ブロック（5.1、7.1；5.2、7.2；5.3、7.3、...）の前記肯定確認信号及び否定確認信号（ACK、NACK）からデータサブフロー（2.1、...、2.6）毎に決定されることを特徴とする、請求項１に記載の方法。
【請求項３】
異なる変調方法（QPSK、QAM）が異なるデータサブフロー（2.1、...、2.6）を送信するために使用されることを特徴とする、請求項１又は２に記載の方法。
【請求項４】
前記試験装置（12）は、データサブフロー（2.1、...、2.6）毎に、第１の送信について否定確認信号（NACK）が返信された転送ブロックの転送繰り返しの最大数を指定することを特徴とする、請求項１ないし３のうちいずれか１項に記載の方法。
【請求項５】
前記試験装置（12）は、データサブフロー（2.1、...、2.6）毎に、繰り返し転送される転送ブロック（5.1、...、5.i）の冗長版の系列を個々に指定することを特徴とする、請求項１ないし４のうちいずれか１項に記載の方法。
【請求項６】
データサブフロー（2.1、...、2.6）の前記転送繰り返しの最大数及び／又は前記冗長版の系列は、前記データサブフロー（2.1、...、2.6）の転送ブロック（5.1、...、5.i、7.1、...）に返信された肯定確認信号又は否定確認信号（ACK、NACK）と独立して、それぞれの場合に指定されることを特徴とする、請求項４又は５に記載の方法。
【請求項７】
前記試験装置（12）は、転送ブロック（5.1、...、7.1、...）で送信されたデータに不適当なCRCチェックサムを追加し、少なくとも１つの否定確認信号（NACK）を強制することを特徴とする、請求項１ないし６のうちいずれか１項に記載の方法。
【請求項８】
前記試験装置（12）は、参照測定チャネルでブロック及びビット誤り率を同時に決定することを特徴とする、請求項１ないし７のうちいずれか１項に記載の方法。
【請求項９】
移動無線システムでのデータ転送中に誤り率を決定する試験装置であって、
複数のデータサブフロー（2.1、...、2.6）を生成する信号生成ユニット（8）と、
各データサブフロー（2.1、...、2.6）について個々に転送フォーマットを指定する構成ブロック（18）と、
それぞれの場合に、複数の関連する転送ブロック（5.1、7.1；5.2、7.2；5.3、7.3；...）で前記データサブフロー（2.1、...、2.6）を送信し、肯定確認信号又は否定確認信号（ACK、NACK）を受信するトランシーバと、
前記受信した確認信号（ACK、NACK）から誤り率を決定する評価ユニット（17）と
を有する試験装置。
【請求項１０】
前記評価ユニット（17）は、それぞれの場合に、１つのデータサブフロー（2.1、...、2.6）について誤り率を決定する複数の評価ブロック（17.1、7.2、7.3）を有することを特徴とする、請求項９に記載の試験装置。
【請求項１１】
前記信号生成ユニット（8）は、個々のデータサブフローについて同一又は異なる転送フォーマットでデータサブフロー（2.1、...、2.6）の送信信号を生成する複数の信号生成器（3.1、...、3.6）を有する、請求項９又は１０に記載の試験装置。
【請求項１２】
前記構成ブロック（18）は、否定確認信号（NACK）の後に、データサブフロー（2.1、...、2.6）の個々の転送ブロック（5.1、...、5.i）の転送繰り返しの最大数を指定し得ることを特徴とする、請求項９ないし１１のうちいずれか１項に記載の試験装置。
【請求項１３】
前記構成ブロック（18）は、前記データサブフロー（2.1、...、2.6）で繰り返し送信される転送ブロック（5.1、...、5.i）の冗長版を指定し得る、請求項９ないし１２のうちいずれか１項に記載の試験装置。
【請求項１４】
前記構成ブロック（18）は、前記データサブフロー（2.1、...、2.6）の転送ブロック（5.1、7.1；5.2、7.2；5.3、7.3；...）に返信された肯定確認信号又は否定確認信号（ACK、NACK）と独立して、それぞれの場合にデータサブフロー（2.1、...、2.6）の最大数及び／又は冗長版を指定し得ることを特徴とする、請求項９ないし１３のうちいずれか１項に記載の試験装置。
【請求項１５】
ブロック及びビット誤り率は、参照測定チャネルの転送及び受信により決定されることを特徴とする、請求項９ないし１４のうちいずれか１項に記載の試験装置。
【発明の詳細な説明】
【技術分野】
【０００１】
本発明は、移動無線システムでのデータ転送中に誤り率を決定する方法及び試験装置に関する。
【背景技術】
【０００２】
第３世代の移動無線システムでは、データはパケットで転送される。このため、物理転送チャネルは連続的な信号フレームに分割され、また、連続的な信号フレームは再分割としてタイムスロットを有する。このタイムスロットのそれぞれは、信号フレームを指定の数の転送ブロックに再分割する。これに関して、連続的な信号フレームで複数の相互に対応する転送ブロックが、データサブフローの転送のそれぞれの場合に使用される。従って、信号フレームの各転送ブロックは、転送される全データの一部を転送する。従って、複数のデータサブフローが、基地局とこれと通信する移動無線装置との間でいわゆる並行処理で転送される。
【０００３】
個々の転送ブロックの転送が誤りのないものであったか否かを決定するために、転送ブロックを受信する加入者により確認信号が返信される。確認信号は、それぞれ、正確な受信の場合には肯定確認信号であり、不正確な受信の場合には否定確認信号である。移動無線システムで装置を試験するために、この確認信号が記録され、確認信号の総数に対する否定確認信号の比から誤り率が決定される。3GPP標準に記載された通りの方法の既知の手順の場合には、この目的に固定の転送フォーマットが使用され、従って、全てのデータサブフローがパラメータの共通のセットで送信される。このことは、異なる転送フォーマットの場合に生じる誤り率を決定するために、この試験ループの完全な実行を待つ必要があるという欠点を有する。更に、連続的な転送ブロックで指定された移動無線装置はそれぞれの場合に同じパラメータで送信された送信信号を受信して解読する必要があるため、この試験方法は静的である。従って、動的処理（すなわち、転送フォーマットの変化）で生じる更なる誤りは検出されない。
【発明の開示】
【発明が解決しようとする課題】
【０００４】
本発明の目的は、異なる転送フォーマットについて誤り率の同時決定を可能にする方法及び試験装置を生成することである。
【課題を解決するための手段】
【０００５】
この目的は、請求項１に記載の本発明による方法、及び請求項９に記載の本発明による試験装置により実現される。
【０００６】
本発明による方法の場合、まず、試験装置は、信号生成ユニットを用いて複数のデータフローを生成する。構成ユニットにより、送信パラメータのセットがこれらのデータサブフローのそれぞれについて個々に指定される。これに関して、送信パラメータの各セットは、各データサブフローが送信される特定の転送フォーマットを定める。試験装置のトランシーバユニットにより、データサブフローは、それぞれの場合に複数の関連する転送ブロックで送信される。試験される装置は、転送ブロックを受信し、これらを評価する。評価中に、転送ブロックで転送されたデータは正確な転送について検査され、従って、それぞれ、正確な転送の場合には肯定確認信号が返信され、不正確な転送の場合には否定確認信号が返信される。試験装置は試験される装置により返信された確認信号を受信し、それから試験される装置の誤り率を決定する。
【０００７】
本発明による方法の場合、転送フォーマットが１つの転送ブロックから次の転送ブロックに変化し得るという点で、試験される装置が更に負荷を受けることは有利である。一方で、このことは、全てのデータサブフローでの全ての確認信号の結合した評価の場合であっても誤り率の現実的な値が決定されるように、移動無線装置の負荷を増加させる。他方で、特定の転送フォーマットで（すなわちパラメータの指定のセットで）送信された各データサブフローの個々の誤り率を決定することが可能である。
【０００８】
従属項は、本発明による方法及び本発明による試験装置の有利な展開に関する。
【０００９】
特に、評価ユニットで別々の評価ブロックを用いて各データサブフローについて個々に誤り率を決定することが有利である。これに関して、個々の誤り率は、例えば検出誤りの累積が例えば選択された変調形式で体系的に相互に関係し得るか否かの指標を与える。
【００１０】
更に、各データサブフローについて否定確認信号が返信された後で転送ブロックが破棄される前に再送信される転送ブロックの最大繰り返し数を指定することが有利である。従って、冗長版の系列が各データサブフローについて別々に指定され得る。このことは、同じデータ内容の繰り返し送信から生じる影響を除去することを可能にする。
【００１１】
何の転送ブロックがどの頻度で繰り返し転送されるかを、構成ブロックを用いて指定することが更に有利である。これに関して、使用される冗長版と同様に、この繰り返しは確認信号に独立して指定される。
【発明を実施するための最良の形態】
【００１２】
本発明による方法及び試験装置の好ましい例示的な実施例が図示され、以下の説明で詳細に説明される。
【００１３】
図１は、第３世代移動システムでどのようにデータがパケットで転送されるかについての非常に簡単な図を示している。転送されるデータフロー1は、まず、データサブフロー2.1〜2.6に分解される。図１の破線の矢印で示すように、使用される方法に応じて、６より多くのデータサブフローが使用されてもよい。このように生成された６のデータサブフロー2.1〜2.6は、符号化及び変調ブロック3.1〜3.6により相互に独立して処理され、適切な送信ユニットにより送信される。送信信号自体は、連続的に送信される信号フレーム4、6を有する。この信号フレーム4、6は、所定の時間的な長さを有しており、各信号フレーム4、6は、タイミングパターンに応じて個々の送信ブロック5.1、5.2〜5.1又は7.1、7.2、7.3、...に再分割される。個々の信号フレーム4、6は転送ブロックの対応番号5.1〜5.1’、7.1〜7.1’を有する。
【００１４】
これに関して、個々の信号フレーム4、6では、特定の転送ブロックが特定の処理について転送される信号により占有される。処理の転送ブロックは最小の時間的空間を有する。図１は、例えば適切に構成された転送ブロックがそれぞれの場合に処理に属することを示している。従って、データサブフロー2.1の一部は、それぞれの第１の転送ブロック5.1及び7.1で転送される。同様に、それぞれの第２の転送ブロック5.1及び7.2はグループを成し、データサブフロー2.2のデータの一部は、それぞれの場合にこの第２の転送ブロックで転送される。
【００１５】
このように、個々の処理は、複数の連続的な信号フレーム4、6に及び、それぞれの場合に信号フレーム4、6内の特定のタイムスロットのみに対してこれを主張する。複数のいわゆる並行処理が生じる。複数のデータサブフロー2.1〜2.6の生成と、符号化及び変調ブロック3.1〜3.6による処理とは、本発明による試験装置の信号生成ユニット8で行われる。これに関して、データサブフロー2.1〜2.6を処理する個々の信号生成器3.1〜3.6は、異なる転送フォーマットを使用してもよい。転送フォーマットは、データを転送するために必要な全てのパラメータをまとめる。例えば、変調形式、データレート、電力等がこのように決定され得る。
【００１６】
従って、パラメータの個々のセットは、それぞれの場合に個々の符号化及び変調ブロック3.1〜3.6の使用により並列処理に使用され得る。これに対して、信号フレーム4、6が転送される試験される装置は、個々の転送ブロック5.1、5.2、5.3等の間でパラメータの変更されたセットに調整し、例えば異なる復調方法を使用しなければならない。
【００１７】
図２は、誤り率を決定するこのような転送方法の簡単な図を示している。このような転送方法は、HSDPA（High  Speed  Downlink  Packet  Access）としても知られている。図２に示すHSDPA転送方法は、ダウンリンクDLで制御情報項目とデータフローとを有し、アップリンクULで制御情報項目を有する。しかし、この方法は、この転送方法に束縛されておらず、同様にHSUPA（High  Speed  Uplink  Packet  Access）で使用され得る。
【００１８】
前述のように、第１の転送ブロック5.1は、まず信号フレーム4で送信される。この転送ブロックは、図２では識別子0/0(0)で示されている。これに関して、１番目の数字は信号フレーム4の各転送ブロックの番号を示している。２番目の場所は信号フレーム自体を特徴付け、３番目の場所は、同じ転送ブロックの転送の繰り返しが何回行われたかを指定する。
【００１９】
第１の転送ブロック5.1が試験される装置に送信された後に、試験される装置は、受信信号を評価するために利用可能な時間間隔10を有する。時間間隔10は、受信された信号が復調され、正確な転送について検査される最小の長さを有する。例えば、いわゆるCRCサム（Cyclic  Redundancy  Check）が正確な転送を確認するために使用され得る。この試験の結果は、試験される装置により試験装置に返信される。このため、試験される装置は、肯定確認信号又は否定確認信号として、“ACK”又は“NACK”信号を送信する。通常のデータ転送の場合、新しいデータを有する転送ブロックが送信され、或いは移動無線装置から例えば基地局に送信された肯定確認信号又は否定確認信号（それぞれACK又はNACK）に応じて特定の送信ブロックが再送信される。このような転送ブロックの繰り返し送信は、特定数の繰り返しが生じるまで行われる。特定の転送ブロックに関する否定確認信号“NACK”が基地局により受信される毎に、繰り返しが行われる。このような転送の繰り返しの最大数は、特定のデータフロー1の転送について指定される。本発明による方法の場合、繰り返し数は、異なる処理が異なる繰り返しの最大数を有し得るように、特定の処理に関連する転送ブロックについて個々に指定される。
【００２０】
繰り返し転送されるデータが同じ形式で再び転送されるか、又は変更された形式で転送されるかも、同様に指定され得る。このため、何回及び何の冗長版のデータが転送ブロックで再び転送されるかが、処理の開始時に既に明確に定められるように、冗長版の系列が基地局により指定される。本発明による方法では、このことは、相互に独立して個々の処理で行われる。
【００２１】
図２に示す例示的な実施例では、第２の信号フレーム6の第１の転送ブロック7.1は、第１の信号フレーム4の第１の転送ブロック5.1の繰り返し転送であることがわかる。影響を受ける装置の正確な検出精度なく試験方法を実行することを可能にするために、送信ブロック5.1の元の転送及び次の評価が正確な結果に導き、従って試験される移動無線装置が“ACK”信号を返信したとしても、転送ブロックのこのような繰り返しが行われ得る。このことは、例えば使用されるそれぞれの冗長版に関して、特定の冗長版が異なる誤り率を有しているか否かを決定することを可能にする。
【００２２】
前述のように、転送ブロックの正確な転送を検出するために、送信機から転送される転送ブロックへの試験基準としてCRCチェックサムが追加される。高品質の転送の場合であっても冗長版の系列の処理を強制するために、基地局は転送ブロックのデータにとって適切でない試験基準を故意に追加し得る。このように、試験される装置12の場合に、１つ以上の“NACK”の返送が行われる。冗長版の系列の故意の実行に加えて、それぞれ肯定確認信号又は否定確認信号“ACK”又は“NACK”が実際に試験される装置により正確に割り当てられているか否かも検査される。
【００２３】
肯定確認信号又は否定確認信号（それぞれACK又はNACK）に加えて、チャネル品質指標（CQI：Channel  Quality  Indicator）も、試験される装置により試験装置に送信される。CQIは、転送フォーマットのリストのインデックスである。リストは、高いCQIが同じチャネルについて転送データビット毎に低いエネルギーに対応するように構成される。CQIを使用して、試験される装置は、現在のチャネル品質を前提として、何の転送フォーマットを指定のブロック誤り率で受信することができるかを指定する。従って、試験される装置により送信されるCQIより高いCQIの場合には、ブロック誤り率は指定のブロック誤り率より高くなり、低いCQIの場合には低くなるはずである。
【００２４】
試験される装置の誤り率を決定するために、特定の方法で試験される装置の平均CQIから逸脱した転送フォーマットが使用される場合には、誤り率はCQIの分布に応じて決定されなければならない。すなわち、特定の転送フォーマットのCQIの分布が最初に決定される。平均CQIはこの分布について決定される。この平均CQIから始まり、特定の低いCQI及び特定の高いCQIに対応する転送フォーマットについて誤り率が決定される。本発明のよる方法の場合に、異なる転送フォーマットが異なる処理について選択され得るため、それぞれ低いCQI及び高いCQIの場合の誤り率の決定は、並列処理の適切な構成により並列して実行され得る。
【００２５】
図示のHSDPA転送チャネルも参照測定チャネルと同時に動作し得る。この参照測定チャネルは、チャネルHSDPAに加えて、アップリンク及びダウンリンクで動作する。このことは、転送チャネルHSDPAの誤り率を決定することについて記載した方法と同時に、参照測定チャネルで試験ループを実行することを可能にする。このように、ビット誤り率及びブロック誤り率を同時に決定することが可能になるだけでなく、HSDPAのデータスループットを決定することが可能になる。このように、非HSDPA転送チャネルでのHSDPA転送の効果が測定され得る。第３世代の移動無線システムでは、例えば非HSDPAチャネルは受信機の感度を測定するために使用される。
【００２６】
図３は、本発明による試験装置12をブロック回路図として示している。試験装置12は、まずデータフローを生成するデータソース13を有する。このデータフローは、前述の方法でデータフロー1を複数のデータサブフロー2.1〜2.6に分解する信号生成ユニット8に伝えられる。データサブフロー2.1〜2.6は、符号化及び変調ブロックにより処理され、特定の転送フォーマットでトランシーバユニット14に伝えられる。このトランシーバユニット14は、送信機14.1と受信機14.2とを有する。トランシーバユニット14は、アンテナ15に接続され、図２に関して説明したように、データサブフロー2.1、...、2.6を試験される装置（図示の例示的な実施例では移動無線装置16）に送信する。
【００２７】
図３は、無線を用いたデータの転送を示している。しかし、異なる減衰係数を体系的に検査するために、又は例えば無線リンクでの干渉の影響を除去するために、移動無線装置16と試験装置12との間でケーブル結合接続を使用することも可能である。
【００２８】
CQIと同様に、移動無線装置16により返信される肯定確認信号又は否定確認信号（それぞれ“ACK”又は“NACK”）は、試験装置側で受信機14.2により受信される。肯定確認信号又は否定確認信号は評価ユニット17に伝えられる。図３では、評価ユニット17は、評価ブロック17.1、17.2及び17.3あるいはそれ以上を有し、評価ブロックのそれぞれは、各信号フレーム4、6の特定の転送ブロック5.i、7.iに割り当てられる。従って、例えば評価ブロック17.1は、それぞれの場合に、第１の転送ブロック5.1、7.1等に関するそれぞれの否定確認信号又は肯定確認信号を評価し得る。従って、それぞれ第１の処理又は第１のデータサブフロー2.1の誤り率について結論を出すことが可能になる。相応して、第２の評価ブロック17.2は、第２の転送ブロック5.2、7.2等に割り当てられる。従って、第２の評価ブロック17.2は、第２のデータサブフロー2.2の誤り率を決定する。相応して、別々の評価ブロック7.3、...がそれぞれの更なるデータサブフロー2.3〜2.6について提供される。
【００２９】
データサブフロー2.1〜2.6の各転送フォーマットを指定するために、構成ブロック18が提供される。構成ブロック18は、何のデータレート及び何の変調方法で何の処理が試験される装置に送信されるかを指定する。試験方法の場合に、決定された平均CQIの関数として転送フォーマットが変更される必要があるため、評価ユニット17は、構成ブロック18に接続される。評価ユニット17で決定された平均CQIに応じて、構成ブロック18は、特定の低いCQI又は特定の高いCQIに対応する適切に変更された転送フォーマットを少なくとも２つの処理に割り当てる。
【００３０】
本発明は、図示の例示的な実施例に限定されない。特に、例示的な実施例の如何なる所望の特徴も、如何なる所望の方法で相互に結合され得る。
【図面の簡単な説明】
【００３１】
【図１】移動無線システムでのデータの転送を表す図
【図２】移動無線システムの転送チャネルを表す図
【図３】本発明による試験装置のブロック回路図
【図１】
2008533938.tif 000003
【図２】
2008533938.tif 000004
【図３】
2008533938.tif 000005
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
複数のデータサブフロー（2.1、...、2.6）が送信される少なくとも１つの転送チャネルを有する移動無線システムで、データ転送（1）における誤り率を決定する方法であって、
−信号生成ユニット（8）により前記複数のデータサブフロー（2.1、...、2.6）を生成するステップと、
−各データサブフロー（2.1、...、2.6）について個々に転送フォーマットを指定するステップと、
−それぞれの場合に、試験装置（12）により試験される装置（16）に複数の関連する転送ブロック（5.1、...、7.1）で前記データサブフロー（2.1、...、2.6）を送信するステップと、
−前記試験される装置により転送ブロック（5.1、...、5.i、7.1、...）を受信して評価し、各転送ブロックについて肯定確認信号又は否定確認信号（ACK、NACK）を返信するステップと、
−前記試験装置（12）により全ての前記データサブフロー（2.1、...、2.6）の前記受信した確認信号（ACK、NACK）から少なくとも１つの誤り率を決定するステップと
を有する方法。
【請求項２】
誤り率は、前記データサブフロー（2.1、...、2.6）に関連する転送ブロック（5.1、7.1；5.2、7.2；5.3、7.3、...）の前記肯定確認信号及び否定確認信号（ACK、NACK）からデータサブフロー（2.1、...、2.6）毎に決定されることを特徴とする、請求項１に記載の方法。
【請求項３】
異なる変調方法（QPSK、QAM）が異なるデータサブフロー（2.1、...、2.6）を送信するために使用されることを特徴とする、請求項１又は２に記載の方法。
【請求項４】
前記試験装置（12）は、データサブフロー（2.1、...、2.6）毎に、第１の送信について否定確認信号（NACK）が返信された転送ブロックの転送繰り返しの最大数を指定することを特徴とする、請求項１ないし３のうちいずれか１項に記載の方法。
【請求項５】
前記試験装置（12）は、データサブフロー（2.1、...、2.6）毎に、繰り返し転送される転送ブロック（5.1、...、5.i）の冗長版の系列を個々に指定することを特徴とする、請求項１ないし４のうちいずれか１項に記載の方法。
【請求項６】
データサブフロー（2.1、...、2.6）の前記転送繰り返しの最大数及び／又は前記冗長版の系列は、前記データサブフロー（2.1、...、2.6）の転送ブロック（5.1、...、5.i、7.1、...）に返信された肯定確認信号又は否定確認信号（ACK、NACK）と独立して、それぞれの場合に指定されることを特徴とする、請求項４又は５に記載の方法。
【請求項７】
前記試験装置（12）は、転送ブロック（5.1、...、7.1、...）で送信されたデータに不適当なCRCチェックサムを追加し、少なくとも１つの否定確認信号（NACK）を強制することを特徴とする、請求項１ないし６のうちいずれか１項に記載の方法。
【請求項８】
前記試験装置は、参照測定チャネルでブロック及びビット誤り率を同時に決定することを特徴とする、請求項１ないし７のうちいずれか１項に記載の方法。
【請求項９】
移動無線システムでのデータ転送中に誤り率を決定する試験装置であって、
複数のデータサブフロー（2.1、...、2.6）を生成する信号生成ユニット（8）と、
各データサブフロー（2.1、...、2.6）について個々に転送フォーマットを指定する構成ブロック（18）と、
それぞれの場合に、複数の関連する転送ブロック（5.1、7.1；5.2、7.2；5.3、7.3；...）で前記データサブフロー（2.1、...、2.6）を送信し、肯定確認信号又は否定確認信号（ACK、NACK）を受信するトランシーバと、
全ての前記データサブフロー（2.1、...、2.6）の前記受信した確認信号（ACK、NACK）から少なくとも１つの誤り率を決定する評価ユニット（17）と
を有する試験装置。
【請求項１０】
前記評価ユニット（17）は、それぞれの場合に、１つのデータサブフロー（2.1、...、2.6）について誤り率を決定する複数の評価ブロック（17.1、7.2、7.3）を有することを特徴とする、請求項９に記載の試験装置。
【請求項１１】
前記信号生成ユニット（8）は、個々のデータサブフローについて同一又は異なる転送フォーマットでデータサブフロー（2.1、...、2.6）の送信信号を生成する複数の信号生成器（3.1、...、3.6）を有する、請求項９又は１０に記載の試験装置。
【請求項１２】
前記構成ブロック（18）は、否定確認信号（NACK）の後に、データサブフロー（2.1、...、2.6）の個々の転送ブロック（5.1、...、5.i）の転送繰り返しの最大数を指定し得ることを特徴とする、請求項９ないし１１のうちいずれか１項に記載の試験装置。
【請求項１３】
前記構成ブロック（18）は、前記データサブフロー（2.1、...、2.6）で繰り返し送信される転送ブロック（5.1、...、5.i）の冗長版を指定し得る、請求項９ないし１２のうちいずれか１項に記載の試験装置。
【請求項１４】
前記構成ブロック（18）は、前記データサブフロー（2.1、...、2.6）の転送ブロック（5.1、7.1；5.2、7.2；5.3、7.3；...）に返信された肯定確認信号又は否定確認信号（ACK、NACK）と独立して、それぞれの場合にデータサブフロー（2.1、...、2.6）の最大数及び／又は冗長版を指定し得ることを特徴とする、請求項９ないし１３のうちいずれか１項に記載の試験装置。
【請求項１５】
ブロック及びビット誤り率は、参照測定チャネルの転送及び受信により決定されることを特徴とする、請求項９ないし１４のうちいずれか１項に記載の試験装置。
【国際調査報告】
2008533938.tif 000006
2008533938.tif 000007
2008533938.tif 000008
2008533938.tif 000009
2008533938.tif 000010
2008533938.tif 000011